(57)【要約】【課題】本考案である照明器具のカバーは、一種の多層カバー体に関する照明カバー体について設計したものである。【解決手段】そのカバー体には上下両端にリングが設置されており、その２つのリングの間にはネット状の鋼体が少なくとも1層あり、下端リングには照明器具を取り付けられる組立装置が上向きに設置されている。また、ネット状の鋼体は、各間隔のネットを覆うように被覆体が取り付けられ、照明器具にこのカバー体を取り付けると、電球から放出される灯りをそのカバー体に取り付けられたネットを通して外に放射することで、灯りのグラデーションを作り出すものである。【選択図】図１
0003126597.tif 000002
【実用新案登録請求の範囲】
【請求項１】
本体の上下両端に２つのリングが設置されており、下端のリングには組立装置が取り付けられ、少なくとも１つの環状の鋼体により上下両端の２つのリングをつないで球状を呈し、鋼体のネットを覆う複数の被覆体が交互に配置されていることを特徴とする照明器具のカバー。
【請求項２】
前記被覆体がさらに２つのリングの間に作られた環状の鋼体を覆っていることを特徴とする請求項１に記載の照明器具のカバー。
【請求項３】
前記リングが球状・多辺形を呈することを特徴とする請求項１に記載の照明器具のカバー。
【請求項４】
前記鋼体が円形・楕円形・角形・多角形・不規則形であることを特徴とする請求項１に記載の照明器具のカバー。
【考案の詳細な説明】
【技術分野】
【０００１】
本考案である照明器具のカバーは、一種の照明器具のカバー体に関する多層カバー体の設計についてのもので、このカバー体をかけることで照明器具から放出される灯りの層を作り出す効果を発揮するものである。
【背景技術】
【０００２】
一般的な照明器具、とりわけ、スタンドライトやデスクライト・テーブルランプ、街灯、シャンデリアなどは、ビジュアル効果を高め、よりよい使用価値を出すために、ほとんどの照明器具には外側にカバー体がかけられている。
【０００３】
そして、このカバー体を取り付けることで照明器具から放出される灯りにグラデーションを付け、照明器具から出される灯りにさまざまな変化をもたらすことができるのである。ところが、ほとんどのカバー体は、カバー体自体の色を変えることで、カバー体の内側の反射板に設置された穴から外側に向けて灯りを出し、カバー体本体の色によってビジュアルイメージを作り上げ、そうすることにより消費者の購買意欲をかき立てている。
【０００４】
だが、この方法だと、照明器具製造業者は同じような方法で照明器具の設計を行うことになり、市場で販売される照明器具は大同小異で、ひいては照明器具販売の停滞にもつながっている。そのため、いかに斬新で付加価値を高められる照明器具を作り出せるか、これが本考案の解決しようとする課題である。
【考案の開示】
【考案が解決しようとする課題】
【０００５】
ついては、本考案者は上述のような長年の課題とされてきた問題を解決すべく、数年の歳月をかけて当該製品の研究・設計・製造などに取り組み豊富な経験を積み、多大なる努力と精神力を注ぎ研究を重ねた結果、ついに本考案である照明器具のカバーに成功した。
【課題を解決するための手段】
【０００６】
本考案である照明器具のカバーにつき、カバー体の上下両端にはそれぞれリングがあり、その二つのリングの間には少なくとも１層のネット状の鋼体があり、下端のリングには上向きに設置できる照明器具が取り付けられる組立装置が設けられている。また、ネット状の鋼体には、ネットを覆うように交互に被覆体が取り付けられ、照明器具にこのカバー体を取り付けると、電球から放出される灯りをそのカバー体に取り付けられたネットを通して外に放出することで、灯りのグラデーションを作り出す効果があるものである。
【０００７】
なかでも、２つのリングの間には、この２つのリングを覆っている被覆体を利用して、リングの間に設けられた被覆体と鋼体に交互に設置された被覆体により二重の灯りのグラデーションを作り出し、放出する灯りに変化を与えている。
【０００８】
このほか、その上下のリングの間に、二重に鋼体を設置することもできる。二重にした鋼体にもネットを交互に配置することも可能である。そして、それぞれの鋼体を別々の被覆体で覆うと、ネットで覆われた被覆体とそうでない被覆体に被われた交互の排列になり、また違った灯りのグラデーションを作り出すことができる。
【０００９】
また、その被覆体も違う色の鋼体で覆うことができ、鋼体上でもそれぞれ異なる色のグラデーションが楽しめるだけでなく、さらに灯り自体がその被覆体から外側に向けて投射され、さまざまな色の変化を表現することもできる。
【実施例】
【００１０】
審査委員各位に本考案の情報をより詳しくご理解いただくため、図式とあわせて次の通り説明を加える。
【００１１】
本考案である照明器具のカバーの骨組みは図１に示すとおりである。それには次の各部位が含まれる。
【００１２】
２つのリングについては、第一リング１０、第二リング２０がそれぞれ上下両端に設置されている。当該リングは環状・多辺形若しくは正方形とすることができる。上述の実施例では環状のリングを採用した。
【００１３】
照明器具を設置するための組立装置３０が下端の第二リング２０に取り付けられている。
【００１４】
ネット状の鋼体が少なくとも１つ、第一リング１０と第二リング２０をつなぐように設置されている。当該実施例においては、第一鋼体４０と第二鋼体５０から形成される二重の鋼体を採用した。
【００１５】
さらに複数の被覆体６０が第一鋼体４０と第二鋼体５０のネットに交互に配置されている。
【００１６】
図２は、被覆体が鋼体を覆っていないときの切開図である。第一リング１０と第二リング２０の間を第一鋼体４０と與第二鋼体５０が取り巻くように設置されている。また、第二鋼体５０は第一鋼体４０の外側に配置され、同時に第一鋼体４０と第二鋼体５０には交互にネットが設置されている。さらに組立装置３０は、複数の脚受け３１により第二リング２０につなげられ、第二リング２０の中央よりやや上の位置に設置されている。
【００１７】
図３で示すように、まず被覆体６０で交互に第一鋼体４０のネットを覆っていく。当該実施例においては、縄体をネットに巻き付け、細い隙間を作った。だが、被覆体６０でネットを覆うと、色の違う被覆体６０によりネットを覆うと第一鋼体４０に違う色のグラデーションを作ることができる。
【００１８】
第一鋼体４０のネットを被覆体６０で交互に覆い、再び被覆体６０を使って同じように交互に第二鋼体５０のネットを覆う。図１は、第一鋼体４０と第二鋼体５０を被覆体６０で交互に覆った様子である。
【００１９】
このように、照明器具にカバー体をかけることで（詳細は後述）、照明器具から放出される灯りは第一鋼体４０と第二鋼体５０を覆う被覆体６０を通して外に放射され、灯りのグラデーションを作り出す効果をもたらすのである。また、被覆体６０の色を変えると、カバー体の外側に投射される色もそれにともなって変えられる。
【００２０】
このほか、図４は本考案に係る第二の実施例である。図に示すように、第一リング１０と第二リング２０には、第一鋼体４０しか設置していない。また、第一鋼体４０にも交互にネットが張り巡らされている。
【００２１】
図５及び図６のように、第二実施例において、まず被覆体６０で第一リング１０と第二リング２０の間を覆う。この実施例おいても被覆体６０に縄体で第一リング１０と第二リング２０の間を巻き付け、第一リング１０と第二リング２０の間にも被覆体６０を通して直線的な隙間を作り出す。
【００２２】
さらに被覆体６０で、第一鋼体４０のネット上で交互にネットを覆い、第一鋼体４０を被覆体６０で交互に覆うことで、第一リング１０と第二リング２０の間における被覆体６０に二重の層を作り出す。
【００２３】
図７は、第二実施例において照明器具を取り付けたときの分解図である。図にはスタンド７１、グローブ受け７２、グローブホルダー７３、電球７４を備えた照明器具７０があり、その照明器具７０を使うとき、グローブ受け７２をスタンド７１に固定し、グローブ受け７２を組立装置３０の下の方から設置する。そして、組立装置３０の上の方において、グローブホルダー７３をグローブ受け７２に固定し、最後に電球７４をグローブ受け７２に取り付ける。
【００２４】
グローブ受け７２に通電すると、電球７４に灯りが灯る。電球７４に灯った灯りは、第一リング１０と第二リング２０の間の被覆体６０を通って外側に投射される。外側に投射された灯りの一部は、第一鋼体４０上の被覆体６０で遮断され、もう一部は直接第一鋼体４０の被覆体６０で覆われていないネットを通して外側へ投射されるため、カバー体の外側に灯りのグラデーションをもたらす。
【００２５】
このように、本考案のカバー体を使用すると、灯りに豊かな表情が生まれるのである。被覆体６０を交互に配置するほか、被覆体６０の色を変えることでも投射される灯りの色の変化を楽しめ、照明器具を使う趣が一層増えると思われる。
【００２６】
鋼体の形は円形・楕円形・角形・多角形・不規則形などいろいろ変えることで、さまざまに変化し、被覆体及びその色を変えると、さらに照明器具の効果に趣が添えられる。
【００２７】
ただ、上述の各部名称は本考案の技術内容を記述しやすくするために使ったものであり、本案件の権利範囲に限定するものではない。本案件かかわり発明のための部品転換・代替は本案件の保護下に置かれるものとする。
【図面の簡単な説明】
【００２８】
【図１】本考案に係る第一実施例の切開図である。
【図２】本考案に係る第一実施例で、被覆体未設置時の切開図である。
【図３】本考案に係る第一実施例で、第一鋼体に被覆体を設置した時の切開図である。
【図４】本考案に係る第二実施例の切開図である。
【図５】本考案に係る第二実施例において第一被覆体を設置した時の切開図である。
【図６】本考案に係る第二実施例において第二被覆体を設置した時の切開図である。
【図７】本考案に係る第二実施例を運用した時の分解図である。
【符号の説明】
【００２９】
１０  第一リング
２０  第二リング
３０  組立装置
３１  脚受け
４０  第一鋼体
５０  第二鋼体
６０  被覆体
７０  照明
７１  スタンド
７２  グローブ受け
７３  グローブホルダー
７４  電球
【図１】
0003126597.tif 000003
【図２】
0003126597.tif 000004
【図３】
0003126597.tif 000005
【図４】
0003126597.tif 000006
【図５】
0003126597.tif 000007
【図６】
0003126597.tif 000008
【図７】
0003126597.tif 000009